(57)【要約】【課題】水切部材を利用して屋外部材を取り付けできるようにする。【解決手段】建物外壁張り出し部に固着する固着部４ａと、固着部４ａから室外側方向に延びた水切り部４ｂと、水切り部４ｂの下に設けられ、屋外部材が取付け可能な取付部４ｃを有した水切部材４であり、取付部４ｃを利用して屋外部材を取り付けできる。【選択図】図２
2015140560.tif 000002
【特許請求の範囲】
【請求項１】
建物外壁張り出し部に取り付ける水切部材であって、
前記建物外壁張り出し部に固着される固着部と、
前記固着部よりも室外側方向に延びた水切り部と、
前記水切り部よりも下に設けられ、屋外部材が取付け可能な取付部とを備えていることを特徴とする水切部材。
【請求項２】
前記取付部は、下方に向けて開口したあり溝と、あり溝と室内外方向に隣接した厚肉部である請求項１記載の水切部材。
【請求項３】
前記あり溝は、下方に向けて開口した開口部と、開口部と連続し、開口部よりも上の収容部と、収容部と連続し、収容部よりも上の空間部を有し、
前記空間部は、収容部の室内側よりも室内側に張り出した室内側空間部分、又は収容部の室外側よりも室外側に張り出した室外側空間部分を有し、裏板の一端部を開口部から室内側空間部分又は室外側空間部分に入れることで、裏板を収容部に設けることができるようにした請求項２記載の水切部材。
【請求項４】
前記あり溝は、下方に向けて開口した開口部と、開口部と連続し、開口部よりも上の収容部と、収容部と連続し、収容部よりも上の空間部とを有し、
前記収容部は、開口部の室内側開口縁と連続し裏板の一端部が載置する室内側載置面と、室内側載置面と上下方向に離隔して対向した室内側支持面及び、開口部の室外側開口縁と連続し裏板の他端部が載置する室外側載置面と、室外側載置面と上下方向に離隔して対向した室外側支持面を有している請求項２又は３記載の水切部材。
【請求項５】
前記水切り部よりも下に室内外側方向に向かう下壁を有し、
前記下壁を、水切部材の他の壁よりも厚肉とし、下壁の室内外側方向の全長を取付部とした請求項１記載の水切部材。
【請求項６】
前記水切部材の取付部にアタッチメントを取り付け、
前記アタッチメントの室外側縦壁は取付部を有している請求項１〜５いずれか１項記載の水切部材。
【請求項７】
前記アタッチメントの下壁及び又は室内側縦壁に取付部を有している請求項６項記載の水切部材。
【発明の詳細な説明】
【技術分野】
【０００１】
本発明は、持ち出しバルコニー等の建物外壁から張り出した張り出し部、階下の建物外壁よりも張り出した階上の建物外壁などの建物外壁張り出し部に用いる水切部材に関する。
【背景技術】
【０００２】
持ち出しバルコニーが特許文献１に開示されている。
この持ち出しバルコニーは、建物外壁から張り出した室外側の下部に水切部材を備えているので、持ち出しバルコニーの室外面に沿って流れた雨水が持ち出しバルコニーの下面（軒天）に回り込むことがない。
【先行技術文献】
【特許文献】
【０００３】
【特許文献１】実公昭６３−９６８１号公報
【発明の概要】
【発明が解決しようとする課題】
【０００４】
持ち出しバルコニー等の建物外壁から張り出した張り出し部を有した建物においては、張り出し部よりも下に、スクリーン、アウターシェード、垂れ壁、物干し等の屋外部材を取り付けることがある。
しかし、張り出し部よりも下に屋外部材を取り付けるためには、建物外壁、建物躯体に穴をあけなければならず、しかも穴から建物躯体に雨水が浸入しないように水密処理が必要であるから、張り出し部よりも下に屋外部材を取り付ける作業が面倒で、時間がかかる。
【０００５】
本発明は、前述の課題を解決するためになされたものであり、その目的は、屋外部材を取り付けできる水切部材とすることである。
【課題を解決するための手段】
【０００６】
本発明は、建物外壁張り出し部に取り付ける水切部材であって、
前記建物外壁張り出し部に固着される固着部と、
前記固着部よりも室外側方向に延びた水切り部と、
前記水切り部よりも下に設けられ、屋外部材が取り付け可能な取付部とを備えていることを特徴とする水切部材である。
【０００７】
本発明の水切部材は、前記取付部は、下方に向けて開口したあり溝と、あり溝と室内外方向に隣接した厚肉部とすることができる。
【０００８】
本発明の水切部材は、前記あり溝は、下方に向けて開口した開口部と、開口部と連続し、開口部よりも上の収容部と、収容部と連続し、収容部よりも上の空間部を有し、
前記空間部は、収容部の室内側よりも室内側に張り出した室内側空間部分、又は収容部の室外側よりも室外側に張り出した室外側空間部分を有し、裏板の一端部を開口部から室内側空間部分又は室外側空間部分に入れることで、裏板を収容部に設けることができるものにすることができる。
このようにすれば、開口部から裏板を入れて収容部に設けることができる。
【０００９】
本発明の水切部材は、前記あり溝は、下方に向けて開口した開口部と、開口部と連続し、開口部よりも上の収容部と、収容部と連続し、収容部よりも上の空間部とを有し、
前記収容部は、開口部の室内側開口縁と連続し裏板の一端部が載置する室内側載置面と、室内側載置面と上下方向に離隔して対向した室内側支持面及び、開口部の室外側開口縁と連続し裏板の他端部が載置する室外側載置面と、室外側載置面と上下方向に離隔して対向した室外側支持面を有しているものにできる。
このようにすれば、裏板にねじを螺合するときに裏板が上に動かないので、ねじを裏板に螺合し易い。
【００１０】
本発明の水切部材は、前記水切り部よりも下に室内外側方向に向かう下壁を有し、
前記下壁を、水切部材の他の壁よりも厚肉とし、下壁の室内外側方向の全長を取付部とすることができる。
【００１１】
本発明の水切部材は、前記水切部材の取付部にアタッチメントを取り付け、
前記アタッチメントの室外側縦壁は取付部を有しているものにできる。
このようにすれば、アタッチメントの室外側縦壁に室内側方向に向かうねじにより屋外構造物を取り付けできる。
【００１２】
本発明の水切部材は、前記アタッチメントの下壁及び又は室内側縦壁に取付部を有しているものにできる。
このようにすれば、アタッチメントに屋外部材を取り付けできる。
【発明の効果】
【００１３】
本発明によれば、水切部材の取付部を利用して屋外部材を取り付けできるから、建物外壁、建物躯体に穴をあける必要がなく、屋外部材を簡単に取り付けできる。
【図面の簡単な説明】
【００１４】
【図１】持ち出しバルコニーの取付状態の縦断面図である。
【図２】水切部材を取り付けた部分の拡大断面図である。
【図３】水切部材のあり溝部分の拡大断面図である。
【図４】あり溝の収容部に裏板を設ける動作説明図である。
【図５】水切部材にアウターシェードを取り付けた状態の断面図である。
【図６】水切部材にアタッチメントを取り付けた状態の断面図である
【図７】アタッチメントの第２の実施の形態を示す断面図である。
【図８】水切部材のあり溝の第２の実施の形態を示す断面図である。
【図９】あり溝の収容部に裏板を設けた状態の断面図である。
【図１０】水切部材のあり溝の第３の実施の形態を示す断面図である。
【図１１】あり溝部分の拡大図である。
【図１２】水切部材の第２の実施の形態を示す断面図である。
【図１３】水切部材の第３の実施の形態を示す断面図である。
【図１４】水切部材の第４の実施の形態を示す断面図である。
【発明を実施するための形態】
【００１５】
本発明の水切部材を取り付ける建物外壁張り出し部を説明する。
図１に示すように、建物外壁張り出し部は持ち出しバルコニー１としてある。
持ち出しバルコニー１は、建物躯体２に取り付けた本体１ａの室外側面１ｂに外装材１ｃを取り付けて室外側面１ｄとし、本体１ａの下面１ｅに軒天ボード１ｆを取り付けて下面１ｇとしてある。
建物躯体２に外壁材を取り付けて建物外壁３としてある。
建物躯体２は、上開口２ａと下開口２ｂとを有し、上開口２ａと下開口２ｂに図示しないサッシが取り付けられる。
【００１６】
持ち出しバルコニー１の室外側の下部、例えば本体１ａの室外側の下部に、本発明の水切部材４が取り付けてある。
持ち出しバルコニー１の室外側面１ｄに沿って流れた雨水は水切部材４で水切りされ、雨水が持ち出しバルコニー１の下面１ｇに回り込むことがない。
【００１７】
水切部材４は、図２に示すように、張り出し部に固着するための固着部４ａと、固着部４ａと連続して固着部４ａよりも室外側方向に延びた水切り部４ｂと、後述する屋外部材を取り付け可能な取付部４ｃを備えている。
固着部４ａを張り出し部の室外側の下部に固着して取り付けることで、水切り部４ｂが張り出し部の室外側面よりも室外側方向に突出する。例えば持ち出しバルコニー１の本体１ａの室外側面１ｂと下面１ｅに固着部４ａを固着して取り付けることで、水切り部４ｂが持ち出しバルコニー１の室外側面１ｄの下に位置し、かつ水切り部４ｂが室外側面１ｄよりも室外側方向に突出する。
取付部４ｃは水切り部４ｂよりも下方に位置する。
【００１８】
このようであるから、水切部材４の取付部４ｃに屋外部材を取り付けることができる。
例えば、水切部材４の取付部４ｃに垂れ壁を取り付け、垂れ壁で建物外壁３の張り出し部より下の部位を覆い、外観デザインを向上する。
水切部材４の取付部４ｃにスクリーンを取り付ける。
水切部材４の取付部４ｃにアウターシェードを取り付け、建物躯体２の下開口２ｂを遮光する。
水切部材４の取付部４ｃに物干し、又はフックを取り付ける。
【００１９】
水切部材４は図２に示すように、上壁４０と、上壁４０の室内側端に下向きに設けた室内側縦壁４１と、上壁４０の室外側端に下向きに設けた室外側縦壁４２と、室内側縦壁４１の下端部と連続し室外側方向に向けて設けた室内側下壁４３と、室外側縦壁４２の下端部と連続し室内側方向に向けて設けた室外側下壁４４と、上壁４０の室内寄りである室内側上壁４０ａと室内側下壁４３を連結する連結縦壁４５と、連結縦壁４５と室外側下壁４４を連結する連結横壁４６とを有した水切本体４−１及び、水切本体４−１の室内側上壁４０ａの室内側端と連続して室内側方向に向かう第１取付壁４７と、上壁４０の室内側上壁４０ａと室外側上壁４０ｂとの境に上向きに設けた第２取付壁４８とを有している。
【００２０】
室内側上壁４０ａは水平で、室外側上壁４０ｂは室内側よりも室外側が低くなるように傾斜している。
水切本体４−１は、室内側中空部４−１ａと室外側中空部４−１ｂを有することで高強度を確保できる。
【００２１】
第１取付壁４７と第２取付壁４８とで取付部４ａを形成している。
第１取付壁４７を張り出し部の下面、例えば持ち出しバルコニー１の本体１ａの下面１ｅに固着具、例えばねじ４９で固着し、第２取付壁４８を張り出し部の室外側面、例えば持ち出しバルコニー１の本体１ａの室外側面１ｂに固着具、例えばねじ４９で固着する。
【００２２】
このようであるから、水切部材４は張り出し部（持ち出しバルコニー１の本体１ａ）の下面と室外側面の２つの面に固着されるから、水切部材４の固着強度を確保できる。
【００２３】
持ち出しバルコニー１の本体１ａの下面１ｅに取り付けた軒天ボード１ｆの室外側端面と第１取付壁４７と室内側縦壁４１とで下向きに開口した凹溝５０を形成している。
この凹溝５０にシール材５１を設けて第１取付壁４７の取付部分を水密している。
【００２４】
室外側上壁４０ｂが水切り部４ｂを形成する。
室内側下壁４３の室外側端部４３ａと連結縦壁４５と連結横壁４６と室外側下壁４４の室内側端部４４ａとで、下向きに開口したあり溝５２を形成し、あり溝５２を第１の取付部４ｃ−１としてある。
室内側下壁４３は厚肉部４３ｂを有し、厚肉部４３ｂを第２の取付部４ｃ−２としてある。
第２の取付部４ｃ−２は第１の取付部４ｃ−１よりも室内側寄りである。
【００２５】
あり溝５２は、図３に示すように下面に開口する開口部５３と、開口部５３と連続し、開口部５３よりも上の収容部５４と、収容部５４と連続し、収容部５４よりも上の空間部５５を備えている。
【００２６】
収容部５４の室内側縦面５４ａと室外側縦面５４ｂとの間の室内外側方向の寸法、つまり収容幅Ｈ１は、開口部５３の室内側開口縁５３ａと室外側開口縁５３ｂとの間の室内外側方向の寸法、つまり開口幅Ｈ２よりも大きく、収容部５４の室内外側方向の中央部、つまり、収容幅Ｈ１の幅方向中心Ｈ１−１と、開口部５３の室内外側方向の中央部、つまり開口幅Ｈ２の幅方向中心Ｈ２−１は室内外側方向に同一である。
開口部５３の室内側開口縁５３ａよりも収容部５４の室内側縦面５４ａが室内側寄りで、収容部５４は、開口部５３の室内側開口縁５３ａと収容部５４の室内側縦面５４ａを連続する上向きの室内側載置面５４ｃを有する。
開口部５３の室外側開口縁５３ｂよりも収容部５４の室外側縦面５４ｂが室外側寄りで、収容部５４は、開口部５３の室外側開口縁５３ｂと収容部５４の室外側縦面５４ｂを連続する上向きの室外側載置面５４ｄを有する。
収容部５４は、室外側載置面５４ｄと上下方向に離隔して対向した下向きの室外側支持面５４ｅを有し、室外側支持面５４ｅと室外側縦面５４ｂと室外側載置面５４ｄとで室内側に向かうコ字状の凹部を形成している。
【００２７】
空間部５５は、室内側縦面５５ａと室外側縦面５５ｂと下向面５５ｃとで収容部５４に向けて開口したコ字形状である。
室内側縦面５５ａは、収容部５４の室内側縦面５４ａの上部と連続し、室内側に向けて斜めとなった下部縦面５５ａ−１と、下部縦面５５ａ−１の上部と連続し垂直な上部縦面５５ａ−２とで鉤形状で、空間部５５の室内側空間部分５５−１は収容部５４の室内側縦面５４ａよりも室内側に張り出している。
空間部５５の室外側縦面５５ｂの下端は、収容部５４の室外側支持面５４ｅの室内側端と連続し、室外側縦面５５ｂは開口部５３の室外側開口縁５３ｂと室内外側方向にほぼ同一位置である。
【００２８】
つまり、連結縦壁４５は、室内側下壁４３の室外側寄りに上に向けて設けた第１縦壁４５ａと、第１縦壁４５ａの上端と連続し、斜め室内側上方に向けて設けた第２縦壁４５ｂと、第２縦壁４５ｂの上端と連続し上に向けて垂直に設けた第３縦壁４５ｃとを有し、図２に示すように第３縦壁４５ｃが室内側上壁４０ａに連結している。
連結横壁４６は、第３縦壁４５ｃの下部寄りに室外側方向に向けて水平に設けた室内側横壁４６ａと、室内側横壁４６ａの室外側端に下向きに設けた垂直な室内縦壁４６ｂと、室内側縦壁４６ｂの下端に室外側方向に向けて水平に設けた室外側横壁４６ｃと、室内側横壁４６ｃの室外側端に下向きに垂直に設けた室外側縦壁４６ｄとを備え、室外側縦壁４６ｄは室外側下壁４４の室内側寄りに連結している。
【００２９】
室内側下壁４３の室内側端部４３ａと、連結縦壁４５の第１縦壁４５ａと、連結横壁４６の室外側横壁４６ｃ、室外側縦壁４６ｄと、室外側下壁４４の室内側端４４ａとで収容部５４を形成している。
連結縦壁４５の第２縦壁４５ｂ、第３縦壁４５ｃの下部寄りと、連結横壁４６の室内側横壁４６ａ、室内側縦壁４６ｂとで空間部５５を形成している。
【００３０】
このようであるから、あり溝５２内に裏板５を、開口部５３から入れることができる。
つまり、図４に一点鎖線で示すように、裏板５を一端部５ａが上で他端部５ｂが下となるように斜めの姿勢とし、裏板５を開口部５３からあり溝５２内に挿入し、裏板５の一端部５ａを空間部５５の室内側空間部分５５−１に位置する。この状態で二点鎖線で示すように裏板５の他端部５ｂを押し上げ、他端部５ｂを開口部５３を通して収容部５４の室外側寄りに位置する。
この状態で、図４に三点鎖線で示すように裏板５を収容部５４の室外寄りに移動し、図４に実線で示すように裏板５を収容部５４に収容する。
これにより、裏板５の一端部５ａは収容部５４の室内側載置面５４ｃに載置し、他端部５ｂが室外側載置面５４に載置し、裏板５の他端部５ｂが室外側支持面５４ｅに接することで上方に移動しないように支持する。
【００３１】
なお、図示は省略するが、空間部５５は、その室外側空間部分が収容部５４の室外側縦面５４ｂよりも室外側に張り出す形状とすることができる。
このようにすれば、裏板５を開口部５３からあり溝５２内に挿入し、裏板５の一端部５ａを空間部５５の室外側空間部分に位置させるようにして、裏板５を収容部５４に設けることができる。
【００３２】
裏板５は、後述するように水切部材４の取付部４ｃに屋外部材を取り付けるねじを螺合するためのものである。
例えば、図５に示すように、屋外部材であるアウターシェード６の取付ブラケット６０から上下方向に向かう第１のねじ６１を裏板５に螺合してアウターシェード６を水切部材４に取り付ける。
取付ブラケット６０は上下方向に向かう第２のねじ６２を室内側下壁４３の厚肉部４３ｂに螺合することで水切部材４に固着してある。
これにより、アウターシェード６を水切部材４の室内外側方向に離隔した２ヶ所で固着されるので、アウターシェード６の取付強度を確保できる。
【００３３】
屋外部材はアウターシェード６に限ることはなく、垂れ壁、スクリーン、物干し、フックなどとすることもできる。
【００３４】
以上のように、本発明の水切部材４によれば、水切部材４に屋外部材を取り付けることができるから、張り出し部の下に屋外部材を取り付ける場合に、建物外壁３、建物躯体２に穴をあける必要がなく、張り出し部の下に屋外部材を簡単に取り付けできる。
【００３５】
裏板５に螺合するねじ６１は、図５に示すように上下方向に向かうので、室内外側方向に向かうねじで屋外部材を水切部材４の取付部４ｃに取り付けできない。
そこで、図６に示すように水切部材４の取付部４ｃ（第１の取付部４ｃ−１、第２の取付部４ｃ−２）にアタッチメント７を上下方向に向かう第１のねじ６１，第２のねじ６２で取り付ける。
アタッチメント７は、上横壁７０と室外側縦壁７１で鉤形状の本体７２と、横壁７３と室内側縦壁７４で鉤形状のカバー７５を備え、カバー７５を本体７２にねじ７６で着脱自在に取り付けてアタッチメントとする。
上横壁７０から上下方向に向かう第１のねじ６１をあり溝５２に設けた裏板５に螺合し、上下方向に向かう第２のねじ６２を室内側下壁４３の厚肉部４３ｂに螺合することで、アタッチメント７を水切部材４の下面に取り付ける。
【００３６】
アタッチメント７の本体７２の室外側縦壁７１には、取付部、例えば室外側に開口したあり溝７７を有し、このあり溝７７に裏板５が設けてある。
裏板５に室内外側方向に向かうねじ７８を螺合することができるので、水切部材４にアタッチメント７を介して室内外側方向に向かうねじ７８で屋外構造物を取り付けできる。
例えば、テラス屋根８の垂木掛け部材８ａの縦壁８ａ−１を、アタッチメント７の本体７２の室外側縦壁７１に接し、縦壁８ａ−１から室内外側方向に向かうねじ７８を裏板５に螺合することでアタッチメント７に棟木部材８ａを取り付ける。
【００３７】
図７に示すように、アタッチメント７のカバー７５の横壁７３と室内側縦壁７４とに取付部を形成しても良い。例えば、横壁７３に図３に示すと同様のあり溝７７を下方に向けて開口して形成し、室内側縦壁７４に室内側に向けて開口したあり溝７７を形成する。
このようにすれば、アタッチメント７にアウターシェード、フックなどを取り付けできる。
【００３８】
図示は省略するが、アタッチメント７のカバー７５の横壁７３に、取付部、例えば下方に開口したあり溝７７を形成しても良い。
このようにすれば、アタッチメント７にアウターシェードを図５に示すと同様にして取り付けできる。
【００３９】
次に、水切部材４の他の実施の形態を説明する。
図８に示すように、あり溝５２の収容部５４の室内側縦面５４ａにおける上端に、室外側に向かう突起５４ａ−１を設け、突起５４ａ−１と室内側縦面５４ａと室内側載置面５４ｃとで室外側に開口した凹部を形成する。
【００４０】
このようにすれば、図９に示すように収容部５４に裏板５を、一端部５ａを室内側載置面５４ｃに載置し、他端部５ｂを室外側載置面５４ｄに載置して取り付けた状態で、裏板５が上に移動しようとすると、裏板５の一端部５ａは突起５４ａ−１と干渉し、他端部５ｂは室外側支持面５４ｅと干渉するので、裏板５を上に移動しないように支持できる。
したがって、裏板５に上下方向に向かう第１のねじ６１を螺合するときに裏板５が上に動かないので、第１のねじ６１を裏板５に螺合し易い。
【００４１】
図１０に示すように、あり溝５２の収容部５４の室内側縦面５４ａの上端に室外側方向に向かう室内側支持面５４ｆを設け、収容部５４を幅方向中心Ｈ１−１に対して室内側と室外側が対称形状とする。
あり溝５２の空間部５５の室内側縦面５５ａを、収容部５４の室内側支持面５４ｆの室外側端と連続した垂直とし、空間部５５を収容部５４の幅方向中心Ｈ１−１に対して室内側と室外側が対称形状とする。
図１１に示すように、空間部５５の室内側縦面５５ａと室外側縦面５５ｂとの間の寸法、つまり空間部５５の幅Ｈ３は、収容部５４の幅Ｈ１より小さく、開口部５３の開口幅Ｈ２よりも大きい。
【００４２】
このようにすれば、空間部５５に六角ボルトの頭部を嵌合して取り付けできる。
【００４３】
図１０、図１１に示すあり溝５２であると、裏板５を水切部材４の下から開口部５３を通してあり溝５２の収容部５４内に入れることができないので、水切部材４を張り出し部に取り付ける以前、または、水切部材４を張り出し部に取り付けた状態で、水切部材４の長さ方向一端から裏板５を収容部５４内に長手方向にスライドして挿入して入れる。ボルトを入れる場合も同様である。
【００４４】
水切部材４を張り出し部の前面と側面に沿って取り付ける場合には、前面に取り付けた水切部材４の長さ方向端部と側面に取り付けた水切部材４の長さ方向端部とを樹脂のコーナーブロックで連結することがある。
この場合には、コーナーブロックに裏板が入る切欠部を形成し、その切欠部から裏板を収容部５４に入れることができる。
【００４５】
また、裏板５を収容部５４に入れる場合には、室内側下壁４３の室外側端４３ａ、室外側下壁４４の裏板側端４４ａにおける長さ方向の一部分に、裏板５が入る切欠部を形成し、その切欠部から裏板５を収納部５４に入れ、裏板５を長さ方向に移動して所定の位置とすることができる。
【００４６】
図１２に示すように、室内側下壁４３に室内側縦壁４１よりも室内側方向に突出した室内側突出壁４３ｃを形成し、この室内側突出壁４３ｃと第１取付壁４７との間に軒天ボード１ｆの室外側端部を挿入するようにできる。この水切部材４の水切本体４−１は１つ、または２つ以上の中空部を有する。
【００４７】
図１３に示すように、水切部材４の下壁を、室内側下壁４３と室外側下壁４４が一体に連続した形状とする。
この下壁の肉厚を、上壁４０、室内側縦壁４１、室外側縦壁４２の肉厚よりも厚くし、下壁の室内外側方向全長を取付部４ｃとする。
このようにすれば、下壁、つまり水切部材４の下面における室内外側方向に任意の位置にねじを螺合できるから、任意の位置に屋外部材を取り付けできる。この水切部材４の水切本体４−１は１つの中空部を有する。
【００４８】
図１４に示すように、水切部材４を中空部を有しない形状としても良い。
つまり、上壁４０を室外側上壁４０ｂのみとし、室外側上壁４０ｂの室内側端に第２取付壁４８を上向きに垂直に設ける。なお、図１３に示す水切部材４も中空部を有しない形状としても良い。
室外側縦壁４１の上端に第２取付壁４７を室内側に向けて設ける。
図１３、図１４に示す水切部材４は、図１２に示す水切部材４と同様に室内側下壁４３に室内側突出壁４３ｃを有するものとしても良い。
【００４９】
実施の形態では、建物外壁張り出し部を持ち出しバルコニーとしたが、これに限ることはなく、建物外壁張り出し部は建物における建物外壁から張り出したものであれば良く、さらには、建物外壁張り出し部は階下の建物外壁よりも張り出した階上の建物外壁でもよい。
また、裏板はボルトを螺合する部材に限ることはなく、ボルトが挿通し、ボルト頭部が接するようにしたワッシャ等の部材などでも良い。
【００５０】
１…持ち出しバルコニー（張り出し部）、２…建物躯体、３…建物外壁、４…水切部材、４ａ…固着部、４ｂ…水切り部、４ｃ…取付部、５…裏板、５ａ…一端部、５ｂ…他端部、７…アタッチメント、５２…あり溝、５３…開口部、５３ａ…室内側開口縁、５３ｂ…室外側開口縁、５４…収容部、５４ａ…室内側縦面、５４ｂ…室外側縦面、５４ｃ…室内側載置部、５４ｄ…室外側載置部、５４ｅ…室外側支持面、５４ｆ…室内側支持面、５５…空間部、５５−１…室内側空間部、６０…取付ブラケット、６８…ねじ。
【図１】
2015140560.tif 000003
【図２】
2015140560.tif 000004
【図３】
2015140560.tif 000005
【図４】
2015140560.tif 000006
【図５】
2015140560.tif 000007
【図６】
2015140560.tif 000008
【図７】
2015140560.tif 000009
【図８】
2015140560.tif 000010
【図９】
2015140560.tif 000011
【図１０】
2015140560.tif 000012
【図１１】
2015140560.tif 000013
【図１２】
2015140560.tif 000014
【図１３】
2015140560.tif 000015
【図１４】
2015140560.tif 000016